(57)【特許請求の範囲】
【請求項１】
複数の画像を切り替えて投影出力する制御を行う投影制御装置であって、
各画像を投影出力した際の出力済み時間を各画像毎に計測する計測手段と、
再投影出力対象の画像として、前記各画像の中でその出力済み時間が最大の画像を特定する特定手段と、
前記特定手段で特定された画像を再投影画像として保存する保存手段と、
出力済み画像を再度投影出力する際は、前記保存手段で前記再投影画像として保存された前記画像を再投影出力すべく制御する再出力制御手段と、
を具備したことを特徴とする投影制御装置。
【請求項２】
前記計測手段は、各画像毎にその画像を連続して出力した際の連続出力時間を前記出力済み時間として計測する、
ことを特徴とする請求項１記載の投影制御装置。
【請求項３】
前記計測手段は、各画像毎にその画像を出力した際の累積出力時間を前記出力済み時間として計測する、
ことを特徴とする請求項１記載の投影制御装置。
【請求項４】
複数の画像を切り替えて投影出力する制御を行う投影制御装置のコンピュータを制御するためのプログラムであって、
前記コンピュータを、
各画像を投影出力した際の出力済み時間を各画像毎に計測する計測手段、
再投影出力対象の画像として、前記各画像の中でその出力済み時間が最大の画像を特定する特定手段、
前記特定手段で特定された画像を再投影画像として保存する保存手段、
出力済み画像を再度投影出力する際は、前記保存手段で前記再投影画像として保存された前記画像を再投影出力すべく制御する再出力制御手段、
として機能させるようにしたコンピュータ読み取り可能なプログラム。
【発明の詳細な説明】
【技術分野】
【０００１】
本発明は、複数の画像を切り替えて投影出力する制御を行う投影制御装置に関する。
【背景技術】
【０００２】
従来より、プロジェクタ装置にパーソナルコンピュータ（以下「ＰＣ」と称する）を接続し、ＰＣ上でプレゼンテーション用のソフトウェアを実行することで、プレゼンテーションの内容をプロジェクタにより投影表示するような使用方法が広く一般に行われている。
【０００３】
このようにＰＣ上で動作するプレゼンテーションソフトウェアを用いてプレゼンテーションを実施する場合、当然ながらそのプレゼンテーションソフトウェアの取扱いに精通すること、及び当該ソフトウェアをインストールしたＰＣ自体をプロジェクタ装置と共にプレゼンテーションを行なう場所に持ち込むことが共に必須となる。
【０００４】
上記前者、プレゼンテーションソフトウェアの取扱いを容易とすることについて、特許文献においても、片手の操作でＰＣの表示ページを制御でき、柔軟かつ迅速にプレゼンテーションを進行でき、完成度の高いプレゼンテーションを実現できるプレゼンテーション装置を提供するようにした技術が提案されている。（例えば、特許文献１）
【先行技術文献】
【特許文献】
【０００５】
【特許文献１】特開２００３−３３０４４１号公報
【発明の概要】
【発明が解決しようとする課題】
【０００６】
一方で、近年はＰＣを用いずに簡易にプレゼンテーションを行なうものとして、プレゼンテーションソフトウェアで作成したドキュメントデータファイルをＰＣ上で一連の画像データに変換した後に例えばＵＳＢメモリなどの小型の記憶媒体に記憶させ、そのＵＳＢメモリを直接接続することで、当該ＵＳＢメモリに記憶された一連の画像データを順次読出して投影するような機能を有するプロジェクタ装置が考えられている。
【０００７】
この種の機能を有するプロジェクタ装置では、記憶媒体に記憶された画像データを記憶されている順序に従って読出し、投影させるだけの機能しか有していない。そのため、画像の順序を入れ替えるような操作、例えばページを１ページ分乃至複数ページ分だけ飛ばしたり、あるいはすでに投影した前のページに戻る、といった操作を行なうことはできなかった。
【０００８】
本発明の課題は、複数の画像を切り替えて投影出力した後にあって、その各画像の中から再度画像を投影出力させる際は、各画像毎の出力済み時間に基づいて特定される画像を再投影出力させることである。
【課題を解決するための手段】
【０００９】
請求項１記載の発明は、複数の画像を切り替えて投影出力する制御を行う投影制御装置であって、各画像を投影出力した際の出力済み時間を各画像毎に計測する計測手段と、投影出力対象の画像として、前記各画像の中でその出力済み時間が最大の画像を特定する特定手段と、前記特定手段で特定された画像を再投影画像として保存する保存手段と、出力済み画像を再度投影出力する際は、前記保存手段で前記再投影画像として保存された前記画像を再投影出力すべく制御する再出力制御手段と、を具備したことを特徴とする。  
【発明の効果】
【００１４】
本発明によれば、複数の画像を切り替えて投影出力した後にあって、その各画像の中から再度画像を投影出力させる際は、各画像毎の出力済み時間に基づいて自動的に特定される画像を対象に、直ちに再投影出力させることができる。
【図面の簡単な説明】
【００１５】
【図１】本発明の実施の一形態に係るプロジェクタ装置の外観構成を示す斜視図。
【図２】同実施の形態に係る電子回路の機能構成を示すブロック図。
【図３】同実施の形態に係る第１の動作例での投影処理の内容を示すフローチャート。
【図４】同実施の形態に係る第２の動作例での投影処理の内容を示すフローチャート。
【発明を実施するための形態】
【００１６】
以下本発明をプロジェクタ装置に適用した場合の実施の一形態について図面を参照して説明する。
【００１７】
図１は、同実施の形態に係るプロジェクタ装置１０の外観構成を示すもので、図１（Ａ）が主として筐体前面及び上面、図１（Ｂ）が主として筐体背面及び上面を示す。
同図（Ａ）に示すように、直方体状の本体ケーシング１１の前面に、投影レンズ１２、測距センサ１３、及びＩｒ受光部１４が配設される。
【００１８】
投影レンズ１２は、後述するマイクロミラー素子でなる空間的光変調素子で形成された光像を拡大してスクリーン等の対象に投影するためのものであり、ここでは合焦位置及びズーム位置（投影画角）を任意に可変できるものとする。
【００１９】
測距センサ１３は、投影レンズ１２に隣接して２対の位相差センサの一方が水平方向、他方が垂直方向となるように配置され、被写体像に対する視差から三角測距の原理に基づいて投影対象までの距離を水平方向、垂直方向の２次元的な検出ラインに沿って測定する。
【００２０】
Ｉｒ受光部１４は、図示しないこのプロジェクタ装置１０のリモートコントローラからのキー操作信号が重畳された赤外光（Ｉｒ）信号を受信する。
【００２１】
また、本体ケーシング１１の上面には、キースイッチ部１５及びスピーカ１６が配設される。
キースイッチ部１５は、例えば電源キー、ＡＦＫ（Ａｕｔｏｍａｔｉｃ Ｆｏｃｕｓ／ａｕｔｏｍａｔｉｃ Ｋｅｙ−ｓｔｏｎｅ ｃｏｒｒｅｃｔｉｏｎ：自動合焦／自動台形補正）キー、ズームキー、入力選択キー、一部でページ切換えの指示キーを兼ねたカーソル（「↑」「↓」「←」「→」）キー、「Ｅｎｔｅｒ」キー、その時点で投影しているページ画像の記憶を指示する「記憶」キー、記憶したページ画像の投影及び投影解除を指示する「記憶投影」キー等からなるもので、同様のキーがこのプロジェクタ装置１０の図示しないリモートコントローラにも配設されるものとする。
【００２２】
スピーカ１６は、入力された音声信号及び動作時のビープ音等を拡声放音する。
【００２３】
また、図１（Ｂ）に示すように本体ケーシング１１の背面には、入出力コネクタ部１７、Ｉｒ受光部１８、及びＡＣアダプタ接続部１９が配設される。
入出力コネクタ部１７は、例えばパーソナルコンピュータ等の外部装置との接続のためのＵＳＢ端子、映像入力用のミニＤ−ＳＵＢ端子、及びＲＣＡ（ピンジャック）端子からなる。
【００２４】
Ｉｒ受光部１８は、上記Ｉｒ受光部１４と同様に、図示しないリモートコントローラからのキー操作信号が重畳された赤外光（Ｉｒ）信号を受信する。
ＡＣアダプタ接続部１９は、電源となる図示しないＡＣアダプタからのケーブルを接続する。
【００２５】
次に図２により上記プロジェクタ装置１０の電子回路の機能構成について説明する。図中、上記入出力コネクタ部１７より入力された各種規格の画像信号が、入出力インタフェース（Ｉ／Ｆ）２１、システムバスＳＢを介して画像変換部２２で所定のフォーマットの画像信号に統一された後に、投影エンコーダ２３へ送られる。
【００２６】
投影エンコーダ２３は、送られてきた画像信号をビデオＲＡＭ２４に展開して記憶させた上でこのビデオＲＡＭ２４の記憶内容からビデオ信号を生成して投影駆動部２５に出力する。
【００２７】
この投影駆動部２５は、送られてきた画像信号に対応して適宜フレームレート、例えば６０［フレーム／秒］と色成分の分割数、及び表示階調数を乗算した、より高速な時分割駆動で空間的光変調素子（ＳＯＭ）である例えばマイクロミラー素子２６を表示駆動する。
【００２８】
このマイクロミラー素子２６に対して、リフレクタ２７内に配置された、例えば超高圧水銀灯を用いた光源ランプ２８が出射する高輝度の白色光を、カラーホイール２９を介して適宜原色に着色し、ライトトンネル３０で輝度分布が均一な光束とした後にミラー３１で全反射して照射することで、その反射光で光像が形成され、上記投影レンズ１２を介してここでは図示しないスクリーンに投影表示される。
【００２９】
しかるに、光源ランプ２８の点灯駆動と、カラーホイール２９を回転駆動するモータ（Ｍ）３２はいずれも投影光処理部３３からの供給電圧値に基づいて動作する。
【００３０】
上記各回路のすべての動作制御を制御部３４が司る。この制御部３４は、ＣＰＵと、投影動作時に該ＣＰＵで実行する動作プログラムや各種定型データ等を固定記憶した不揮発性メモリ、及びワークメモリ等により構成される。
【００３１】
この制御部３４にはまた、上記システムバスＳＢを介して画像記憶部３５、測距処理部３６及び音声処理部３７が接続される。
【００３２】
画像記憶部３５は、上記入出力コネクタ部１７から入力される画像信号を制御部３４の制御の下に１フレーム分記憶し、制御部３４の指示に応じて記憶した内容を適宜読出し、上記入出力コネクタ部１７から入力される画像信号に代えて上記投影エンコーダ２３へ送出する。
【００３３】
測距処理部３６は、上記２対の位相差センサからなる測距センサ１３を制御駆動し、それらの検出出力から任意の点位置までの距離を算出するもので、算出された距離値データは上記制御部３４へ送られる。
【００３４】
音声処理部３７は、ＰＣＭ音源等の音源回路を備え、投影動作時に与えられる音声データをアナログ化し、上記スピーカ１６を駆動して拡声放音し、あるいは必要によりビープ音等を発生させる。
【００３５】
なお、上記キースイッチ（ＳＷ）部１５における各キー操作信号が直接制御部３４に入力されると共に、Ｉｒ受光部３８からの信号も直接制御部３４に入力される。この
Ｉｒ受光部３８は、上記本体ケーシング１１の前面側のＩｒ受光部１４及び同背面側のＩｒ受光部１８を含み、リモートコントローラからの赤外光受信信号をコード信号化して制御部３５に送出する。
【００３６】
次に上記実施の形態の動作について説明する。
（第１の動作例）
ここでは、上記入出力コネクタ部１７のＵＳＢ端子に、一連の画像データからなるデータファイルを記憶したＵＳＢメモリを接続し、当該ＵＳＢメモリから読出した画像データを順次投影することでプレゼンテーションのための投影動作を実行するものとする。
【００３７】
ＵＳＢメモリに記憶された画像データは、事前に図示しないパーソナルコンピュータでプレゼンテーションソフトウェアを用いて作成したものを一律に所定の画像形式、例えばＪＰＥＧに変換した上で１つの画像データファイルとしてＵＳＢメモリに書込まれる。
【００３８】
また、上記キースイッチ部１５及び図示しないこのプロジェクタ装置１０のリモートコントローラには共に、上述した如く上記画像記憶部３５に記憶したページ画像の投影及び投影解除を指示する「記憶投影」キーが備えられるものとする。
【００３９】
図３は、入出力コネクタ部１７のＵＳＢ端子に接続したＵＳＢメモリに記憶されている画像データファイルを読出して順次投影する場合の動作を示すもので、その動作制御は制御部３５が予め記憶されている動作プログラムに基づいて実行する。
【００４０】
その当初には、初期設定として制御部３４がワークメモリ内にそれぞれ構築した、画像記憶部３５への画像データの記憶状態を示すフラグレジスタをオンに設定すると共に、画像の連続投影時間をカウントするためのカウンタをクリアする（ステップＡ０１）。
【００４１】
このとき合わせて制御部３４は、直前まで保持していたカウント値と、それまでのカウントの最大値のいずれか大きい方を、あらためてそれまでのカウントの最大値として更新記憶しておく。
【００４２】
次いで、入力信号により投影すべき画像のページがあるか否かを判断し（ステップＡ０２）、あると判断するとそのページの画像データを用いて投影を実行する（ステップＡ０３）。このとき、上記カウンタによるカウント動作を開始する。
【００４３】
次いで、その時点で上記フラグレジスタがオンに設定されており、且つ上記カウンタのカウント値がそれまでのカウントの最大値に比してより大きいか否かを判断する（ステップＡ０４）。
【００４４】
これは、その時点で投影している画像がそれまでの画像データ中で投影時間の最も長いものであるか否かを判断するための判断であり、そうであると判断した場合にのみ、その時点で投影している画像データを画像記憶部３５に保存する（ステップＡ０５）。
【００４５】
その後、画像記憶部３５への記憶の有無に拘わらず、ページ切替えを指示するキースイッチ部１５またはこのプロジェクタ装置１０のリモートコントローラのカーソルキー操作があったか否かを判断し（ステップＡ０６）、操作があった場合にはそのキー操作に対応したページを新たに投影するべく上記ステップＡ０１からの処理に戻る。
【００４６】
また、ステップＡ０６でページ切替えの操作がないと判断すると、次いでその時点でフラグレジスタにオンが設定されており、且つ画像記憶部３５に記憶している画像データの投影を指示する、キースイッチ部１５またはこのプロジェクタ装置１０のリモートコントローラの「記憶投影」キーの操作がなされたかどうかを判断する（ステップＡ０７）。
【００４７】
ここでフラグレジスタにオンが設定されていないか、または当該キー操作がなされなかったと判断した場合には、さらにフラグレジスタにオフが設定されており、且つ画像記憶部３５に保存した画像データの投影動作を解除するための上記「記憶投影」キーの操作がなされたかどうかを判断し（ステップＡ０８）、そうでなければ再び上記ステップＡ０４からの処理に戻って、以後上記ステップＡ０４，Ａ０６，Ａ０７，Ａ０８の処理を繰返し実行することで、投影動作を続行しながら上述した各キー操作がなされるのを待機する。
【００４８】
上記ステップＡ０７でフラグレジスタにオンが設定されており、且つ画像記憶部３５に記憶している画像データの投影を指示するキー操作がなされたと判断した場合には、あらためてフラグレジスタにオフをセットすると共に上記カウンタの値をクリアした上で（ステップＡ０９）、それまでの入出力コネクタ部１７からの入力による投影動作に代えて、画像記憶部３５に保存している画像データを読出してその投影動作を行ない（ステップＡ１０）、その後に上記ステップＡ０４からの処理に戻る。
【００４９】
また、上記ステップＡ０８でフラグレジスタにオフが設定されており、且つ画像記憶部３５に記憶している画像データの投影動作を解除するためのキー操作がなされたと判断した場合には、再びフラグレジスタにオンをセットすると共に上記カウンタの値をクリアした上で（ステップＡ１１）、それまでの画像記憶部３５に保存している画像データの投影に代えて、再び入出力コネクタ部１７からの入力に基づく投影動作に戻り（ステップＡ１２）、上記ステップＡ０４からの処理に戻る。
【００５０】
こうしてキー操作に基づいて入出力コネクタ部１７のＵＳＢ端子に接続したＵＳＢメモリからの画像データと投影時間に応じて画像記憶部３５へ自動保存した画像データの投影動作を実行する。
【００５１】
しかして、ＵＳＢメモリからの画像データの投影を行っている状態でページ切替えのキー操作がなされ、これをステップＡ０６で判断した後にステップＡ０２で次に投影すべき画像データがないと判断した場合、すなわちそれまで投影していた画像データが最終ページの画像データであった場合には、もう投影すべき画像データがないものとして、以上でこの図３の投影動作を終了する。
【００５２】
このように、パーソナルコンピュータを使用することなく、一連の画像を順次投影する簡易なプレゼンテーション機能を実行しながら、それら一連の画像中で特に重要な画像データであると思われる、投影時間が最も長かったものに関しては自動的に画像記憶部３５に随時更新しながら記憶しておくものとしたので、この画像記憶部３５に記憶した画像を順序に関係なく随時必要に応じたタイミングで読出して投影させることが可能となる。
【００５３】
また、上記動作例では、ページを切り替えるとカウンタをクリアしていたが、投影中にページを切り替え再度同じ画像データを投影した場合でも前回の投影時間に加算できるようにページ毎にカウンタを設けるようにして、投影時間の累積が最大となったものに関して画像記憶部３５に記憶するようにしてもよい。
【００５４】
（第２の動作例）
ここでは、上記入出力コネクタ部１７のＵＳＢ端子に、一連の画像データからなるデータファイルを記憶したＵＳＢメモリを接続し、当該ＵＳＢメモリから読出した画像データを順次投影することでプレゼンテーションのための投影動作を実行するものとする。
【００５５】
ＵＳＢメモリに記憶された画像データは、事前に図示しないパーソナルコンピュータでプレゼンテーションソフトウェアを用いて作成したものを一律に所定の画像形式、例えばＪＰＥＧに変換した上で１つの画像データファイルとしてＵＳＢメモリに書込まれる。
【００５６】
また、上記キースイッチ部１５及び図示しないこのプロジェクタ装置１０のリモートコントローラには共に、上述した如くその時点で投影しているページ画像の上記画像記憶部３５への記憶を指示する「記憶」キー、及び画像記憶部３５に記憶されたページ画像の投影及び投影解除を指示する「記憶投影」キーが備えられるものとする。
【００５７】
図４は、入出力コネクタ部１７のＵＳＢ端子に接続したＵＳＢメモリに記憶されている画像データファイルを読出して順次投影する場合の動作を示すもので、その動作制御は制御部３５が予め記憶されている動作プログラムに基づいて実行する。
【００５８】
その当初には、初期設定として制御部３４がワークメモリ内にそれぞれ構築した、画像記憶部３５への画像データの記憶状態を示すフラグレジスタをオンに設定する（ステップＢ０１）。
【００５９】
次いで、入力信号により投影すべき画像のページがあるか否かを判断し（ステップＢ０２）、あると判断するとそのページの画像データを用いて投影を実行する（ステップＢ０３）。
【００６０】
この投影状態から、上記キースイッチ部１５またはこのプロジェクタ装置１０のリモートコントローラの「記憶」キーが操作されたか否かにより、投影中の画像を画像記憶部３５に記憶するための指示がなされたかどうかを判断する（ステップＢ０４）。
【００６１】
ここでは「記憶」キーが操作されたと判断した場合にのみ、その時点で投影している画像データを画像記憶部３５に上書き保存する（ステップＢ０５）。
【００６２】
その後、画像記憶部３５への記憶の有無に拘わらず、ページ切替えを指示するキースイッチ部１５またはこのプロジェクタ装置１０のリモートコントローラのカーソルキー操作があったか否かを判断し（ステップＢ０６）、操作があった場合にはそのキー操作に対応したページを新たに投影するべく上記ステップＢ０１からの処理に戻る。
【００６３】
また、ステップＢ０６でページ切替えの操作がないと判断すると、次いでその時点でフラグレジスタにオンが設定されており、且つ画像記憶部３５に記憶している画像データの投影を指示する、キースイッチ部１５またはこのプロジェクタ装置１０のリモートコントローラの「記憶投影」キーの操作がなされたかどうかを判断する（ステップＢ０７）。
【００６４】
ここでフラグレジスタにオンが設定されていないか、または当該キー操作がなされなかったと判断した場合には、さらにフラグレジスタにオフが設定されており、且つ画像記憶部３５に保存した画像データの投影動作を解除するための上記「記憶投影」キーの操作がなされたかどうかを判断し（ステップＢ０８）、そうでなければ再び上記ステップＢ０４からの処理に戻って、以後上記ステップＢ０４，Ｂ０６，Ｂ０７，Ｂ０８の処理を繰返し実行することで、投影動作を続行しながら上述した各キー操作がなされるのを待機する。
【００６５】
上記ステップＢ０７でフラグレジスタにオンが設定されており、且つ画像記憶部３５に記憶している画像データの投影を指示するキー操作がなされたと判断した場合には、あらためてフラグレジスタにオフをセットした上で（ステップＢ０９）、それまでの入出力コネクタ部１７からの入力による投影動作に代えて、画像記憶部３５に保存している画像データを読出してその投影動作を行ない（ステップＢ１０）、その後に上記ステップＢ０４からの処理に戻る。
【００６６】
また、上記ステップＢ０８でフラグレジスタにオフが設定されており、且つ画像記憶部３５に記憶している画像データの投影動作を解除するためのキー操作がなされたと判断した場合には、再びフラグレジスタにオンをセットした上で（ステップＢ１１）、それまでの画像記憶部３５に保存している画像データの投影に代えて、再び入出力コネクタ部１７からの入力に基づく投影動作に戻り（ステップＢ１２）、上記ステップＢ０４からの処理に戻る。
【００６７】
こうしてキー操作に基づいて入出力コネクタ部１７のＵＳＢ端子に接続したＵＳＢメモリからの画像データと所定のキー操作に応じて画像記憶部３５へ保存した画像データの投影動作を実行する。
【００６８】
しかして、ＵＳＢメモリからの画像データの投影を行っている状態でページ切替えのキー操作がなされ、これをステップＢ０６で判断した後にステップＢ０２で次に投影すべき画像データがないと判断した場合、すなわちそれまで投影していた画像データが最終ページの画像データであった場合には、もう投影すべき画像データがないものとして、以上でこの図４の投影動作を終了する。
【００６９】
このように、パーソナルコンピュータを使用することなく、一連の画像を順次投影する簡易なプレゼンテーション機能を実行しながら、それら一連の画像中で特に重要な画像データであると思われる、所定のキー操作がなされたものに関しては画像記憶部３５に上書き記憶しておくものとしたので、確実にユーザの意図を反映して、この画像記憶部３５に記憶した画像を順序に関係なく随時必要に応じたタイミングで読出して投影させることが可能となる。
【００７０】
なお、上記実施の形態では、一連の画像データからなるファイルを記憶させたＵＳＢメモリを入出力コネクタ部１７のＵＳＢ端子に接続するものとして説明したが、本発明は画像データを入力するためのインタフェース等を限定するものではなく、例えばプロジェクタ装置１０がＩＥＥＥ１０１．１１規格やＢｌｕｅｔｏｏｔｈ（登録商標）等の無線ＬＡＮ機能を有するものであれば、その無線ＬＡＮを構成する他の外部機器から送られてくる画像データを投影するものとしてもよい。
【００７１】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【符号の説明】
【００７２】
１０…プロジェクタ装置、１１…本体ケーシング、１２…投影レンズ、１３…測距センサ、１４…Ｉｒ受光部、１５…キースイッチ部、１６…スピーカ、１７…入出力コネクタ部、１８…Ｉｒ受光部、１９…ＡＣアダプタ接続部、２１…入出力インタフェース（Ｉ／Ｆ）、２２…画像変換部、２３…投影エンコーダ、２４…ビデオＲＡＭ、２５…投影駆動部、２６…マイクロミラー素子、２７…リフレクタ、２８…光源ランプ、２９…カラーホイール、３０…ライトトンネル、３１…ミラー、３２…モータ（Ｍ）、３３…投影光処理部、３４…制御部、３５…画像記憶部、３６…測距処理部、３７…音声処理部、３８…Ｉｒ受光部、ＳＢ…システムバス。
【図１】
0005387634.tif 000002
【図２】
0005387634.tif 000003
【図３】
0005387634.tif 000004
【図４】
0005387634.tif 000005